(57)【要約】      （修正有）【課題】大幅に小型、薄型にすることができ、特に集積度の高い半導体装置とその製造方法を提供する。【解決手段】予め銅板などからなる導伝板２４に、半導体チップ１６搭載領域の片側に外部電極端子形成部２０１に相当する部分を残してエッチングし、チップ搭載と、残されたランドとをワイヤボンディングし、樹脂封止を行ない、外部電極端子形成部２０１を分断して樹脂１４のコーナ部分にＬ字型の電極ができるようにした半導体パッケージ要素を一対貼り合わせて一つの半導体装置１０とし、または直列に一体成形し、あるいはそれを貼り合わせて接合一体化した半導体装置１０とした。【選択図】図１
2006179939.tif 000002
【特許請求の範囲】
【請求項１】
半導体チップと、
前記半導体チップの電極と電気的に導通される外部電極端子と、
前記半導体チップと前記外部電極端子とを封止する樹脂と、を有する半導体パッケージを含む半導体装置であって、
前記外部電極端子が前記半導体パッケージの長辺に沿った側端面のうち一方の側端面にのみ配置され、かつ前記半導体パッケージの裏面と前記一方の側端面とにおいて前記樹脂から露出する第１の半導体パッケージおよび第２の半導体パッケージを有し、
前記第１の半導体パッケージの表面と前記第２の半導体パッケージの表面とを前記外部電極端子が上下対称になるように接合してなることを特徴とする半導体装置。
【請求項２】
前記半導体チップは、メモリ系の回路が形成されたものであることを特徴とする請求項１に記載の半導体装置。
【請求項３】
前記半導体パッケージは前記半導体パッケージの裏面に前記半導体チップを露出させてなることを特徴とする請求項１または２に記載の半導体装置。
【請求項４】
前記半導体パッケージは前記半導体パッケージの裏面に前記半導体チップ搭載領域のダイパッドを露出させてなることを特徴とする請求項１または請求項２に記載の半導体装置。
【請求項５】
前記外部電極端子は前記一方の側端面側の厚み方向に長く、前記半導体パッケージの裏面側の短辺方向に短く前記樹脂から露出することを特徴とする請求項１乃至４のいずれかに記載の半導体装置。
【請求項６】
前記外部電極端子の前記半導体チップと対向する側端面は、前記外部電極端子の裏面側から表面側に至るにしたがって迫り出すオーバハング形状を有することを特徴とする請求項１乃至５のいずれかに記載の半導体装置。
【請求項７】
半導体チップと、
前記半導体チップの電極と電気的に導通される外部電極端子と、
を有する半導体装置要素を複数連接配列して樹脂封止した半導体装置であって、
前記外部電極端子は各々前記半導体装置の長辺に沿った側端面のうち一方の側端面にのみ配置され、かつ前記半導体装置の裏面と前記一方の側端面とにおいて前記樹脂から露出することを特徴とする半導体装置。
【請求項８】
半導体チップと、
前記半導体チップの電極と電気的に導通される外部電極端子と、
を有する半導体装置要素を複数連接配列して樹脂封止した半導体ユニットであって、
前記外部電極端子は各々前記半導体ユニットの長辺に沿った側端面のうち一方の側端面にのみ配置され、かつ前記半導体ユニットの裏面と前記一方の側端面とにおいて前記樹脂から露出する第１の半導体ユニットおよび第２の半導体ユニットを有し、
前記第１の半導体ユニットの表面と前記第２の半導体ユニットの表面とを前記外部電極端子が上下対称になるように接合してなることを特徴とする半導体装置。
【請求項９】
１枚の導電性板上に複数の半導体装置構成要素の領域を設定し、前記導電性板の片面にて前記半導体装置構成要素の各領域において少なくとも半導体チップ搭載領域の周囲に配置される外部電極端子形成領域を残して前記半導体チップ搭載領域およびその周囲に薄肉部を形成するエッチング工程と、
各半導体装置構成要素の各領域にて前記薄肉部の半導体チップ搭載領域上に半導体チップを搭載する半導体チップ搭載工程と、
前記半導体チップと前記外部電極端子形成領域とを電気的に導通させるボンディング工程と、
前記導電性板の半導体チップ搭載面側にて前記半導体チップおよび前記外部電極端子形成領域を封止する樹脂封止工程と、
前記導電性板の非エッチング面側から少なくとも薄肉部を研削除去することにより前記半導体チップ搭載領域と外部電極端子形成領域相互間とを分離させる研削除去工程と、
前記導電板を複数の半導体装置構成要素の領域毎に切り離し分断処理して裏面と長辺に沿った側端面のうち一方の側端面とにおいて前記樹脂から外部電極端子を露出させた半導体パッケージを形成する分断処理工程と、
前記半導体パッケージを２個接合する工程と、を有する半導体装置装置の製造方法において、
前記半導体パッケージを２個接合する工程は、前記２個の半導体パッケージの表面同士を前記外部電極端子が上下対称になるように接合することを特徴とする半導体装置の製造方法。
【請求項１０】
前記樹脂封止工程では導電性板に搭載された半導体チップを全て一括樹脂封止することを特徴とする請求項９に記載の半導体装置の製造方法。
【請求項１１】
１枚の導電性板上に複数の半導体装置構成要素の領域を設定し、前記導電性板の片面にて前記半導体装置構成要素の各領域において少なくとも半導体チップ搭載領域の周囲に配置される外部電極端子形成領域を残して前記半導体チップ搭載領域およびその周囲に薄肉部を形成するエッチング工程と、
各半導体装置構成要素の各領域にて前記薄肉部の半導体チップ搭載領域上に半導体チップを搭載する半導体チップ搭載工程と、
前記半導体チップと前記外部電極端子形成領域とを電気的に導通させるボンディング工程と、
前記導電性板の半導体チップ搭載面側にて前記半導体チップおよび前記外部電極端子形成領域を封止する樹脂封止工程と、
前記導電性板の非エッチング面側から少なくとも薄肉部を研削除去することにより前記半導体チップ搭載領域と外部電極端子形成領域相互間とを分離させる研削除去工程と、
前記導電板を複数の半導体装置構成要素の領域毎に切り離し分断処理して裏面と長辺に沿った側端面のうち一方の側端面とにおいて前記樹脂から外部電極端子を露出させる分断処理工程と、を有する半導体装置装置の製造方法において、
前記分断処理工程は、前記半導体装置構成要素を複数連接配列して前記外部電極端子形成領域を厚み方向に分断することを特徴とする半導体装置の製造方法。
【請求項１２】
１枚の導電性板上に複数の半導体装置構成要素の領域を設定し、前記導電性板の片面にて前記半導体装置構成要素の各領域において少なくとも半導体チップ搭載領域の周囲に配置される外部電極端子形成領域を残して前記半導体チップ搭載領域およびその周囲に薄肉部を形成するエッチング工程と、
各半導体装置構成要素の各領域にて前記薄肉部の半導体チップ搭載領域上に半導体チップを搭載する半導体チップ搭載工程と、
前記半導体チップと前記外部電極端子形成領域とを電気的に導通させるボンディング工程と、
前記導電性板の半導体チップ搭載面側にて前記半導体チップおよび前記外部電極端子形成領域を封止する樹脂封止工程と、
前記導電性板の非エッチング面側から少なくとも薄肉部を研削除去することにより前記半導体チップ搭載領域と外部電極端子形成領域相互間とを分離させる研削除去工程と、
前記導電板を複数の半導体装置構成要素の領域毎に切り離し分断処理して裏面と長辺に沿った側端面のうち一方の側端面とにおいて前記樹脂から外部電極端子を露出させた半導体ユニットを形成する分断処理工程と、
前記半導体ユニットを２個接合する工程と、を有する半導体装置装置の製造方法において、
前記分断処理工程は、前記半導体装置構成要素を複数個連接配列して前記外部電極端子形成領域を厚み方向に分断して前記半導体ユニットを形成し、
前記半導体ユニットを２個接合する工程は、前記２個の半導体ユニットの表面同士を前記外部電極端子が上下対称になるように接合することを特徴とする半導体装置の製造方法。
【発明の詳細な説明】
【技術分野】
【０００１】
本発明は、半導体チップを搭載し、樹脂封止して形成される半導体装置の製造方法、および半導体装置に関する。
【背景技術】
【０００２】
従来の半導体装置の一例として、図７に示す構造がある。この技術は、半導体装置用導電性板としてのリードフレーム１上に半導体チップ２を接着剤３を用いて設置し、導電性ワイヤ４を用いて半導体チップ２とリードフレーム１とを接続する。次いで、チップ周囲をトランスファーモールドと呼ばれる技術を使い樹脂５で封止し、この封止樹脂５の側端面より突出したリードフレーム１の部分をクランク状に折り曲げることにより半導体装置６を製造する。
【発明の開示】
【発明が解決しようとする課題】
【０００３】
しかしながら、このような半導体装置は、以下のような課題を有する。
【０００４】
すなわち、トランスファーモールド技術を用いるために、モールド用の金型やその駆動装置、また、リードフレーム１を曲げるための金型とその駆動装置が必要であり、非常に大きな設備投資を必要としている。また、リードフレーム１を半導体装置毎に折り曲げるために、工数が多くかかり、半導体装置が高価になる。また、リードフレーム１が樹脂５より突出していることにより、半導体装置が大きくなり、実装した場合に大きな面積を基板上で必要とし、製品としての小型化が困難である。
【０００５】
本発明は、このような従来技術の課題を解決するものであり、その目的とするところは、従来に比して大幅に小型、薄型にすることができ、特に集積度の高い半導体装置とその製造方法を提供することにある。
【課題を解決するための手段】
【０００６】
上記目的を達成するために、本発明の半導体装置は、以下の内容を特徴とするものである。
（１）半導体チップと、
前記半導体チップの電極と電気的に導通される外部電極端子と、
前記半導体チップと前記外部電極端子とを封止する樹脂と、を有する半導体パッケージを含む半導体装置であって、
前記外部電極端子が前記半導体パッケージの長辺に沿った側端面のうち一方の側端面にのみ配置され、かつ前記半導体パッケージの裏面と前記一方の側端面とにおいて前記樹脂から露出する第１の半導体パッケージおよび第２の半導体パッケージを有し、
前記第１の半導体パッケージの表面と前記第２の半導体パッケージの表面とを前記外部電極端子が上下対称になるように接合してなること。
（２）前記半導体チップは、メモリ系の回路が形成されたものであることを特徴とする。
（３）前記半導体パッケージは前記半導体パッケージの裏面に前記半導体チップを露出させてなること。
（４）前記半導体パッケージは前記半導体パッケージの裏面に前記半導体チップ搭載領域のダイパッドを露出させてなること。
（５）前記外部電極端子は前記一方の側端面側の厚み方向に長く、前記半導体パッケージの裏面側の短辺方向に短く前記樹脂から露出すること。
（６）前記外部電極端子の前記半導体チップと対向する側端面は、前記外部電極端子の裏面側から表面側に至るにしたがって迫り出すオーバハング形状を有すること。
【０００７】
また、本発明の別の構成に係る半導体装置は、以下の内容を特徴とするものである。
（７）半導体チップと、
前記半導体チップの電極と電気的に導通される外部電極端子と、
を有する半導体装置要素を複数連接配列して樹脂封止した半導体装置であって、
前記外部電極端子は各々前記半導体装置の長辺に沿った側端面のうち一方の側端面にのみ配置され、かつ前記半導体装置の裏面と前記一方の側端面とにおいて前記樹脂から露出すること。
【０００８】
また、本発明の別の構成に係る半導体装置は、以下の内容を特徴とするものである。
（８）半導体チップと、
前記半導体チップの電極と電気的に導通される外部電極端子と、
を有する半導体装置要素を複数連接配列して樹脂封止した半導体ユニットであって、
前記外部電極端子は各々前記半導体ユニットの長辺に沿った側端面のうち一方の側端面にのみ配置され、かつ前記半導体ユニットの裏面と前記一方の側端面とにおいて前記樹脂から露出する第１の半導体ユニットおよび第２の半導体ユニットを有し、
前記第１の半導体ユニットの表面と前記第２の半導体ユニットの表面とを前記外部電極端子が上下対称になるように接合してなること。
【０００９】
また、本発明の半導体装置の製造方法は、以下の内容を特徴とするものである。
（９）１枚の導電性板上に複数の半導体装置構成要素の領域を設定し、前記導電性板の片面にて前記半導体装置構成要素の各領域において少なくとも半導体チップ搭載領域の周囲に配置される外部電極端子形成領域を残して前記半導体チップ搭載領域およびその周囲に薄肉部を形成するエッチング工程と、
各半導体装置構成要素の各領域にて前記薄肉部の半導体チップ搭載領域上に半導体チップを搭載する半導体チップ搭載工程と、
前記半導体チップと前記外部電極端子形成領域とを電気的に導通させるボンディング工程と、
前記導電性板の半導体チップ搭載面側にて前記半導体チップおよび前記外部電極端子形成領域を封止する樹脂封止工程と、
前記導電性板の非エッチング面側から少なくとも薄肉部を研削除去することにより前記半導体チップ搭載領域と外部電極端子形成領域相互間とを分離させる研削除去工程と、
前記導電板を複数の半導体装置構成要素の領域毎に切り離し分断処理して裏面と長辺に沿った側端面のうち一方の側端面とにおいて前記樹脂から外部電極端子を露出させた半導体パッケージを形成する分断処理工程と、
前記半導体パッケージを２個接合する工程と、を有する半導体装置装置の製造方法において、
前記半導体パッケージを２個接合する工程は、前記２個の半導体パッケージの表面同士を前記外部電極端子が上下対称になるように接合すること。
（１０）前記樹脂封止工程では導電性板に搭載された半導体チップを全て一括樹脂封止すること。
【００１０】
また、本発明の別の構成に係る半導体装置の製造方法は、以下の内容を特徴とするものである。
（１１）１枚の導電性板上に複数の半導体装置構成要素の領域を設定し、前記導電性板の片面にて前記半導体装置構成要素の各領域において少なくとも半導体チップ搭載領域の周囲に配置される外部電極端子形成領域を残して前記半導体チップ搭載領域およびその周囲に薄肉部を形成するエッチング工程と、
各半導体装置構成要素の各領域にて前記薄肉部の半導体チップ搭載領域上に半導体チップを搭載する半導体チップ搭載工程と、
前記半導体チップと前記外部電極端子形成領域とを電気的に導通させるボンディング工程と、
前記導電性板の半導体チップ搭載面側にて前記半導体チップおよび前記外部電極端子形成領域を封止する樹脂封止工程と、
前記導電性板の非エッチング面側から少なくとも薄肉部を研削除去することにより前記半導体チップ搭載領域と外部電極端子形成領域相互間とを分離させる研削除去工程と、
前記導電板を複数の半導体装置構成要素の領域毎に切り離し分断処理して裏面と長辺に沿った側端面のうち一方の側端面とにおいて前記樹脂から外部電極端子を露出させる分断処理工程と、を有する半導体装置装置の製造方法において、
前記分断処理工程は、前記半導体装置構成要素を複数連接配列して前記外部電極端子形成領域を厚み方向に分断すること。
【００１１】
また、本発明の別の構成に係る半導体装置の製造方法は、以下の内容を特徴とするものである。
（１２）１枚の導電性板上に複数の半導体装置構成要素の領域を設定し、前記導電性板の片面にて前記半導体装置構成要素の各領域において少なくとも半導体チップ搭載領域の周囲に配置される外部電極端子形成領域を残して前記半導体チップ搭載領域およびその周囲に薄肉部を形成するエッチング工程と、
各半導体装置構成要素の各領域にて前記薄肉部の半導体チップ搭載領域上に半導体チップを搭載する半導体チップ搭載工程と、
前記半導体チップと前記外部電極端子形成領域とを電気的に導通させるボンディング工程と、
前記導電性板の半導体チップ搭載面側にて前記半導体チップおよび前記外部電極端子形成領域を封止する樹脂封止工程と、
前記導電性板の非エッチング面側から少なくとも薄肉部を研削除去することにより前記半導体チップ搭載領域と外部電極端子形成領域相互間とを分離させる研削除去工程と、
前記導電板を複数の半導体装置構成要素の領域毎に切り離し分断処理して裏面と長辺に沿った側端面のうち一方の側端面とにおいて前記樹脂から外部電極端子を露出させた半導体ユニットを形成する分断処理工程と、
前記半導体ユニットを２個接合する工程と、を有する半導体装置装置の製造方法において、
前記分断処理工程は、前記半導体装置構成要素を複数個連接配列して前記外部電極端子形成領域を厚み方向に分断して前記半導体ユニットを形成し、
前記半導体ユニットを２個接合する工程は、前記２個の半導体ユニットの表面同士を前記外部電極端子が上下対称になるように接合すること。
【発明を実施するための最良の形態】
【００１２】
以下に、本発明に係る半導体装置の製造方法および半導体装置の具体的実施の形態を図面を参照して詳細に説明する。  
【実施例１】
【００１３】
図１は第１の実施形態に係る半導体装置の製造工程を示し、図２は同方法によって製造された半導体装置を示し、図３は同半導体装置をハンダ実装した状態の正面図を示している。
【００１４】
まず、第１実施形態に係る半導体装置が図２に示されている。図示のように、この半導体装置１０は、一対の半導体パッケージ１２を貼り合わせて１つの半導体装置として構成したものである。半導体パッケージ１２を一つのチップサイズパッケージ（ＣＳＰ）として作成し、製造された一対の半導体パッケージ１２同士を接合一体化することにより一つの半導体装置１０を作成するようにしている。
【００１５】
まず、半導体パッケージ１２は樹脂１４により半導体チップ１６を封止して構成されている。すなわち、半導体チップ１６の入出力電極パッド１８と、当該チップ１６の片側に片寄せて配列された外部電極端子２０とがボンディングワイヤ２２により電気的に導通されている。半導体チップ１６におけるボンディング側の全体を覆って樹脂封止するとともに、チップ１６の裏面側は封止樹脂１４から露出するように形成されている。チップ１６の一部が露出している封止樹脂１４の一面のコーナ部分にて、前記外部電極端子２０がＬ字状に露出するように形成させている。このような半導体パッケージ１２を一対を準備し、これらをボンディングワイヤ２２側が対面するようにして接着結合することで半導体装置１０を作成している。このとき、半導体装置１０における一平面の両縁辺に前記外部電極端子２０の配列するように接合して貼り合わせ一体化するのである。
【００１６】
このような半導体装置１０を製造する工程を図１を参照して説明する。まず、図１（１）に示しているように、これは複数の半導体装置を複数同時に製造するためのもので、複数の装置構成要素を形成できるような平面積を有する例えば銅板製導電性板２４を準備する。この導電性板２４には装置構成要素単位ごとに半導体チップ搭載領域Ｃの１辺部に沿って配置される外部電極端子形成領域Ｔのみをランド部として残し、図１（２）に示しているように、その周囲に等方性エッチングにより表面層が除去された薄肉部２６を形成し、この薄肉部２６は非エッチング面側からの研削により前記外部電極端子形成領域Ｔの相互間を分離可能な深さに設定し、ランド部は隣接するパッケージ構成要素の外部電極端子形成部と共用するようにしている。
【００１７】
この導電性板２４では、半導体チップ１６を搭載する部分を薄肉部２６とし、外部電極端子形成部２０１の両側の位置に半導体チップ１６を搭載するようにしている。この搭載領域は、薄肉部２６の表面の一部である。厚肉部突起箇所である外部電極端子形成部２０１は、半導体チップ１６の入出力電極パッド１８からワイヤ２２などで接続される部分となる。外部電極端子形成部２０１は、独立した突起になるように薄肉部２６より厚くしてあるとともに、隣接するパッケージ構成要素と共用するようにしているため、幅寸法は隣接するチップ１６からのボンディングワイヤ２２をそれぞれ溶着できるスペースを確保できるように設定する。また、外部電極形成部２０１の一部あるいは全部の上面には、ボンディングの際の接合性の向上の為に、図１（３）に示しているように、導電性めっき２８を施す場合がある。
【００１８】
同じく、図１（３）の断面図に示すように、導電性板２４のダイ付け部（ダイパッド）の上に半導体チップ１６を接着剤３０などを用いて搭載し、続いて、図１（４）に示しているように、半導体チップ１６の入出力電極パッド１８と導電性板２４の外部電極形成部２０１の上部平坦部を導電性ワイヤ２２を用い接続する。
【００１９】
その後、図１（５）に示すように導電性板２４の上の突起が存在する面、すなわち半導体チップ１６の搭載面のダイ付け部（ダイパッド）、外部電極形成部２０１、半導体チップ１６、導電性ワイヤ２２の全てを覆うように、樹脂１４にて全体を封止する。封止したのち、導電性板２４を薄肉部２６側、すなわち樹脂封止されていない面すなわち非エッチング面側から、導電性板２４が露出している面から研削（あるいはカッティング）する。その際の研削は、薄肉部２４が完全になくなるまで行う。すなわち、外部電極端子２０が電気的に完全に独立する厚み方向の研削面３２に示す位置まで研削する。この場合、半導体チップ１６の底面は、外部電極端子形成部２０１の上面より下方の位置にある為に、研削面３２まで研削する際には、半導体チップ１６の下面の一部は研削されることになる（図１（５）参照）。
【００２０】
ところで、図１（５）から明らかなように、この実施例では複数のパッケージ要素単位が平面状に多数同時に形成されるため、これらを分離するための厚み方向の分断位置を外部電極端子形成部２０１を中央から分断するように分断線３４と、隣接半導体チップ１６同士の分断線３６が設定されている。これにより、各半導体パッケージ１２の一方のコーナ部分に図２に示すようなＬ字形状の外部電極端子２０が形成される。図示のように、実施形態では、Ｌ字形外部電極端子２０は、エッチング深さにもよるが、直方体のパッケージにおける長辺に沿った側端面側で長く、パッケージ裏面に露出した面すなわち半導体チップが露出したつ面が短くなるように設定されている。
【００２１】
なお、上記実施例では、外部電極端子形成部２０１を半導体チップ１６の片側だけに片寄せて配置し、これにワイヤボンディングして樹脂封止させ、導伝板２４の研削による電極分離と、厚み方向に沿って装置単位間を分離する分断線３４、３６で外部電極端子形成部２０１の分断とチップ１６間分断とによってパッケージ要素を分割するような位置に設定したものである。
【００２２】
このような研磨・分割処理により、図１（６）に示しているように、半導体パッケージ１２が多数作成される。このパッケージ１２は、当該パッケージ１２の片側の側縁にのみ外部電極端子２０が配置形成される。このようにして製造された半導体パッケージ１２を一対の組み合わせとして、これらを背中合わせ状態、すなわちワイヤボンディングを施した面どうしを接着剤３８により接合一体化して半導体装置１０が出来上がる。
【００２３】
このような半導体装置１０は、図３に示すように、パッケージを立設して基板実装することができ、基板４０への実装面積を小さくすることができる利点がある。特に、コーナＬ型の外部電極端子２０はハンダ溶着した場合の溶着面積が大きいため、フィレット４２が確実に形成されて安定した実装を行なえる。
【００２４】
このように当該実施形態では半導体装置の高集積化が実現でき、また、個々にパッケージを作成した後に合体接合するので、良品を選別してから合体させることが可能となり、歩留まりの向上効果が高い。なお、半導体チップ５２の電極５４は図２において２列構造のものへの適用例を示したが、近年ではチップ電極は中央１列のものも存在するので、このような中央配列のチップを用いることで分散処理が可能となる。
【実施例２】
【００２５】
次に、図４および図５には第２の実施形態に係る半導体装置の製造方法の説明図と、当該方法により製造された半導体装置５０の斜視図を示す。この第２の実施形態に係る半導体装置５０は、半導体チップ５２の電極５４と外部電極端子５６とをワイヤ５８で電気的導通を図って構成される半導体パッケージ要素６０を複数直列に連接配列して樹脂６２で封止するとともに、前記封止樹脂６２のコーナ外表面部に前記外部電極端子５６をＬ字状に露出形成させて構成している。
【００２６】
このような半導体装置５０は、図４に示しているように、導電板６４を複数の領域に区分し、各区分領域に各々半導体パッケージ要素６０を形成する。このとき、共通の外部電極端子形成部５０１を挟んで対象に各要素６０を配置すると共に、これらに連続的に直列した配列となるようにして、半導体パッケージ要素６０がマトリックス状に配列するように構築する。チップ５２、外部電極端子５６、これらの導電用ワイヤ５８の接続、樹脂封入の処理は図１に示したものと同様の工程を経て行なわれる。この実施形態ではマトリックス状に複数の半導体パッケージ要素６０を同時に配列している点が図１の場合と異なる。なお、上記複数のエッチングを形成しようとする方法は等方性エッチングとして行なうことが望ましい。等方性エッチングであるためエッチング領域は奥に進むほどえぐれた状態となる。したがって、薄肉部から立設した状態にある非エッチング領域は、表面側に至るにしたがって迫り出し、オーバハング状態となる。このため後工程で樹脂封止が行われるが、樹脂内への埋め込み側の相当直径が大きくなり、これがアンカとして作用するために薄肉部を研削除去して島として残されても樹脂から抜け出ることが防止される  このように配列された半導体パッケージ要素６０を２個１組のユニットとして半導体装置５０が構成されるように、図４に示している分離線６６、６８にしたがって分離するのである。なお、1組となるパッケージ要素６０の数は2個に限らず、2以上の複数のパッケージ要素６０を1組のユニットとすることができるのは当然である。これによって図５に示される半導体装置５０が製造できる。更に、この図５の半導体装置５０同士を一体接合することで形成された例が図６の半導体装置７０である。このように構成することで、完成した半導体装置５０，７０はメモリユニットとしてそのまま基板ソケットに入れて用いるようにすることが可能である。
【００２７】
このような実施形態によれば、従来のメモリボードに用いられるメモリユニットに代わって極めて小型化したメモリとして使用することができる。また、メモリカードに用いる場合、従来のメモリボードではパッケージの製造の後に基板実装を行なってメモリカードが完成したが、この実施形態ではパッケージの製造と同時にメモリカードとして完成するので、工程が簡易になる効果がある。
【００２８】
以上説明したように、本発明によれば、予め銅板などからなる導伝板に、半導体チップ搭載領域の片側に外部電極端子形成部に相当する部分を残していわゆるハーフエッチングを行ない、チップ搭載と、残されたランドとをワイヤボンディングし、樹脂封止を行ない、外部電極端子形成部を分断して樹脂のコーナ部分にＬ字型の電極ができるようにした半導体パッケージ要素を一対貼り合わせて一つの半導体装置とし、または直列に一体成形し、あるいはそれを貼り合わせて接合一体化した半導体装置としたので、チップサイズパッケージが接合、連接した集積度の高い半導体装置とすることができる。この種の半導体装置のパッケージサイズを大幅に小さく、薄型化しつつ、このような小型で薄型の半導体装置を簡便な方法により製造することができる。
【図面の簡単な説明】
【００２９】
【図１】第１の実施形態に係る半導体装置の製造方法の工程図である。
【図２】同方法により製造された半導体装置の断面図と斜視図である。
【図３】同半導体装置の実装状態の説明図である。
【図４】第２実施形態に係る製造方法を説明するためのもので、導電板に半導体パッケージ要素を配列した平面図である。
【図５】同方法により製造された半導体装置の斜視図である。
【図６】第３実施形態の係る半導体装置の斜視図である。
【図７】従来の半導体装置の断面図である。
【符号の説明】
【００３０】
１０    半導体装置
１２    半導体パッケージ
１４    封止樹脂
１６    半導体チップ
１８    入出力電極パッド
２０    外部電極端子
２０１  外部電極端子形成部
２２    ボンディングワイヤ
２４    導電性板
２６    薄肉部
２８    導電性めっき
３０    接着剤
３２    研削面
３４    分断線
３６    分断線
３８    接着剤
４０    実装基板
４２    ハンダフィレット
５０    第２実施形態の半導体装置
５２    半導体チップ
５４    電極パッド
５６    外部電極端子
５８    ワイヤ
６０    半導体パッケージ要素
６２    封止樹脂
６４    導電板
６６    分断線
６８    分断線
７０    第３実施形態の半導体装置  
７４    放電ユニット
【図１】
2006179939.tif 000003
【図２】
2006179939.tif 000004
【図３】
2006179939.tif 000005
【図４】
2006179939.tif 000006
【図５】
2006179939.tif 000007
【図６】
2006179939.tif 000008
【図７】
2006179939.tif 000009